(57)【要約】【課題】  薄型化を図ることができる表示装置を提供する。【解決手段】  表示装置１０は、第１〜第３導光板１１〜１３を備える。第１導光板１１には、上表示画素２１、右上表示画素２２、及び右下表示画素２３が形成されている。第２導光板１２には、下表示画素２４、左上表示画素２５、及び左下表示画素２６が形成されている。第３導光板１３には、中表示画素２７が形成されている。第１導光板１１には、上用ＬＥＤユニット４１、右上用ＬＥＤユニット４２、及び右下用ＬＥＤユニット４３が取り付けられている。第２導光板１２には、下用ＬＥＤユニット４４、左上用ＬＥＤユニット４５、左下用ＬＥＤユニット４６が取り付けられている。第３導光板１３には、中用ＬＥＤユニット４７が取り付けられている。各ＬＥＤユニット４１〜４７の駆動を制御して、各表示画素２１〜２７の表示を制御すると、「０」〜「９」の１０個の数字表示が可能となる。【選択図】  図３
2017009753.tif 000002
【特許請求の範囲】
【請求項１】
複数の導光板を積層して形成された導光部と、
前記導光板の各々に少なくとも１つ設けられ、該導光板に所定の方向から導入された光を前記導光部の表示面側に向けて反射することによって画像を表示するように形成された表示画素と、
前記表示画素に向けて前記所定の方向から光を照射する照射手段と、を備え、
前記複数の導光板のうちの少なくとも１つの導光板に前記表示画素を複数設けることによって、前記導光板の数を前記表示画素の数よりも少なくしたことを特徴とする表示装置。
【請求項２】
請求項１に記載の表示装置において、
前記表示画素が複数設けられた導光板では、複数の方向から光が照射されるように前記照射手段が配置されていることを特徴とする表示装置。
【請求項３】
請求項１又は２に記載の表示装置において、
前記表示画素の各々に対応して設けられ、前記照射手段からの光を前記表示画素に集光させる集光レンズを備えることを特徴とする表示装置。
【請求項４】
請求項１〜３のいずれか１項に記載の表示装置において、
前記複数の導光板のうち前記表示面側に配置される導光板に、前記表示画素のうち最も使用頻度の高い表示画素を設けることを特徴とする表示装置。
【請求項５】
請求項１〜４のいずれか１項に記載の表示装置において、
前記照射手段は、前記表示画素が複数設けられた導光板に対して複数の光を同一方向に照射する場合には、光を照射する位置が異なるように配置されていることを特徴とする表示装置。
【請求項６】
請求項１〜５のいずれか１項に記載の表示装置において、
前記表示画素は、数字画像を表示可能な７セグメントを構成する各セグメントであり、
前記導光板は、前記７つのセグメントのうち第１〜第３のセグメントが設けられた第１の導光板と、前記７つのセグメントのうち第４〜第６のセグメントが設けられた第２の導光板と、前記７つのセグメントのうち第７のセグメントが設けられた第３の導光板とから構成され、
前記照射手段は、前記７つのセグメントの各々に向けて光を照射するように設けられていることを特徴とする表示装置。
【発明の詳細な説明】
【技術分野】
【０００１】
本発明は、ＬＥＤ等の光を用いて数字や文字等の表示画素を表示する表示装置に関する。
【背景技術】
【０００２】
表示装置として、ＬＥＤ等の照射手段から照射された光を用いて、文字や数字等の表示画素を表示するものがある。このような表示装置では、文字や数字が描かれたアクリル樹脂等の透明な導光板に光を照射して、文字や数字を光らせている。
【０００３】
例えば、特許文献１の表示装置では、表示画素として０〜９の数字を１個ずつ発光塗料で形成した１０枚の導光板を積層し、１０枚の導光板各々にＬＥＤを取り付け、表示する数字が描かれた導光板に向けて、対応するＬＥＤから光を照射することで、数字を表示させている。この１０枚が１セットの導光板ユニットを３個用いることで、３桁の数字０００〜９９９を表示可能にしている。
【先行技術文献】
【特許文献】
【０００４】
【特許文献１】特許第５５７１９３６号公報
【発明の概要】
【発明が解決しようとする課題】
【０００５】
しかしながら、特許文献１の表示装置では、０〜９の１０個の数字を表示するために１０枚の導光板を積層しているため、厚みが厚くなり、コストも高くなっていた。また、１枚目の数字である「０」と、１０枚目の数字である「９」との見え方に違いがあり、見難いという問題があった。
【０００６】
本発明は、このような事情に鑑みてなされたものであり、薄型化を図ることができる表示装置を提供することを目的とする。
【課題を解決するための手段】
【０００７】
本発明の表示装置は、複数の導光板を積層して形成された導光部と、前記導光板の各々に少なくとも１つ設けられ、該導光板に所定の方向から導入された光を前記導光部の表示面側に向けて反射することによって画像を表示するように形成された表示画素と、前記表示画素に向けて前記所定の方向から光を照射する照射手段と、を備え、前記複数の導光板のうちの少なくとも１つの導光板に前記表示画素を複数設けることによって、前記導光板の数を前記表示画素の数よりも少なくしたことを特徴とする。なお、画像には、数字、文字、絵、模様等が含まれる。
【０００８】
本発明によれば、複数の導光板のうちの少なくとも１つに、表示画素を複数設けることによって、導光板の数を表示画素の数よりも少なくしたので、表示画素の数と同じ数の導光板を用いて画像を表示するものに比べて、導光板の数を削減することができる。これにより、表示装置の薄型化を図り、装置の製造コストを低減することができる。また、積層する導光板の数が減少するので、表示面側に配置される導光板に表示される表示画素の見え方と、表示面側から最も遠い位置に配置される導光板に表示される表示画素の見え方との違いを小さくすることができる。
【０００９】
本発明において、前記表示画素が複数設けられた導光板では、複数の方向から光が照射されるように前記照射手段が配置されていることが好ましい。
【００１０】
この構成によれば、同一の方向から光を照射するものに比べて、１枚の導光板に設ける表示画素の数を増加することができる。
【００１１】
また、本発明において、前記表示画素の各々に対応して設けられ、前記照射手段からの光を前記表示画素に集光させる集光レンズを備えることが好ましい。
【００１２】
この構成によれば、集光レンズにより光を表示画素に集光するので、集光レンズを用いないものに比べて、表示画素を綺麗に表示させることができる。
【００１３】
さらに、本発明において、前記複数の導光板のうち前記表示面側に配置される導光板に、前記表示画素のうち最も使用頻度の高い表示画素を設けることが好ましい。
【００１４】
この構成によれば、表示面側に配置される導光板に、表示画素のうち最も使用頻度の高い表示画素を設けるので、表示面側に配置されることで、最も表示画素が綺麗に見える導光板に、最も使用頻度の高い表示画素を設けることができる。これにより、最も使用頻度の高い表示画素が、最も綺麗に見える。
【００１５】
また、本発明において、前記照射手段は、前記表示画素が複数設けられた導光板に対して複数の光を同一方向に照射する場合には、光を照射する位置が異なるように配置されていることが好ましい。
【００１６】
この構成によれば、同一方向からの光の照射で複数の表示画素を表示させることができる。
【００１７】
さらに、本発明において、前記表示画素は、数字画像を表示可能な７セグメントを構成する各セグメントであり、前記導光板は、前記７つのセグメントのうち第１〜第３のセグメントが設けられた第１の導光板と、前記７つのセグメントのうち第４〜第６のセグメントが設けられた第２の導光板と、前記７つのセグメントのうち第７のセグメントが設けられた第３の導光板とから構成され、前記照射手段は、前記７つのセグメントの各々に向けて光を照射するように設けられていることが好ましい。
【００１８】
この構成によれば、７つのセグメントを３枚の導光板により個別に表示することができる。
【図面の簡単な説明】
【００１９】
【図１】本実施形態の表示装置を示す斜視図。
【図２】第１〜第３導光板と装飾板とを示す斜視図。
【図３】第１〜第３導光板を示す分解斜視図。
【図４】表示装置の構成を示すブロック図。
【図５】上表示画素での光の反射状態を示す側面図。
【図６】０〜９を表示する場合の第１〜第３導光板の表示態様を示す説明図。
【図７】１４セグメント表示する第２実施形態の表示装置を示す正面図。
【図８】第１〜第４導光板を示す分解斜視図。
【図９】Ｚを表示した場合の表示装置を示す正面図。
【図１０】漢字を表示する第３実施形態の表示装置を示す分解斜視図。
【図１１】門、開、閉を表示する場合の第１，第２導光板の表示態様を示す説明図。
【図１２】マークを表示する第４実施形態の表示装置を示す斜視図。
【図１３】マークを表示する場合の導光板の表示態様を示す説明図。
【発明を実施するための形態】
【００２０】
[第１実施形態]
図１及び図２に示すように、表示装置１０は、第１導光板１１、第２導光板１２、及び第３導光板１３からなる導光部１４と、装飾板１５とを備える。各導光板１１〜１３は、導光部１４の表示面側である前側から第１導光板１１、第２導光板１２、第３導光板１３の順に積層されている。
【００２１】
各導光板１１〜１３は、例えば、透明なアクリル樹脂による射出成形により形成されている。装飾板１５は、例えば、金属で構成されている。各導光板１１〜１３は、それぞれの間に隙間が空いた状態で、取付部材（図示せず）により装飾板１５に取り付けられている。なお、装飾板１５を設けずに、各導光板１１〜１３同士を取り付けるようにしてもよい。
【００２２】
図３に示すように、第１導光板１１の裏面には、複数の微細な凸状のドット２０（図５参照）からなる上表示画素２１、右上表示画素２２、及び右下表示画素２３が形成されている。第２導光板１２の裏面には、複数のドット２０からなる下表示画素２４、左上表示画素２５、及び左下表示画素２６が形成されている。
【００２３】
第３導光板１３の裏面には、複数のドット２０からなる中表示画素２７が形成されている。各表示画素２１〜２７は、微細なドット２０であり、視認は困難であるが、図３では、視認可能なように誇張して図示している。
【００２４】
各表示画素２１〜２７は、いわゆる７セグメント表示をするための各セグメントであり、各表示画素２１〜２７を組み合わせると、７セグメントが構成される。
【００２５】
第１導光板１１の上面であって、上表示画素２１の上側には、上側からの光を上表示画素２１に集光するための上用集光レンズ３１が取り付けられている。この上用集光レンズ３１には、複数、例えば５個のマルチカラーＬＥＤ４１ａから構成される上用ＬＥＤユニット４１が取り付けられている。
【００２６】
第１導光板１１の右側面には、右側からの光を右上表示画素２２に集光するための右上用集光レンズ３２と、右側からの光を右下表示画素２３に集光するための右下用集光レンズ３３とが取り付けられている。右上用集光レンズ３２には、５個のマルチカラーＬＥＤ４２ａから構成される右上用ＬＥＤユニット４２が取り付けられ、右下用集光レンズ３３には、５個のマルチカラーＬＥＤ４３ａから構成される右下用ＬＥＤユニット４３が取り付けられている。
【００２７】
第２導光板１２の上面には、上側からの光を下表示画素２４に集光するための下用集光レンズ３４が取り付けられている。この下用集光レンズ３４には、５個のマルチカラーＬＥＤ４４ａから構成される下用ＬＥＤユニット４４が取り付けられている。
【００２８】
第２導光板１２の右側面には、右側からの光を左上表示画素２５に集光するための左上用集光レンズ３５と、右側からの光を左下表示画素２６に集光するための左下用集光レンズ３６とが取り付けられている。左上用集光レンズ３５には、５個のマルチカラーＬＥＤ４５ａから構成される左上用ＬＥＤユニット４５が取り付けられ、左下用集光レンズ３６には、５個のマルチカラーＬＥＤ４６ａから構成される左下用ＬＥＤユニット４６が取り付けられている。
【００２９】
第３導光板１３の上面には、上側からの光を中表示画素２７に集光するための中用集光レンズ３７が取り付けられている。この中用集光レンズ３７には、５個のマルチカラーＬＥＤ４７ａから構成される中用ＬＥＤユニット４７が取り付けられている。
【００３０】
各集光レンズ３１〜３７、及び各ＬＥＤユニット４１〜４７の前側は、装飾板１５により遮蔽されている。
【００３１】
図４に示すように、各ＬＥＤユニット４１〜４７は、各ＬＥＤドライバ５１〜５７を介して表示装置１０の駆動を制御するＣＰＵ６０に接続されており、点灯、点滅、点灯・点滅時の色、消灯等が制御される。
【００３２】
ＣＰＵ６０には、各ＬＥＤユニット４１〜４７の各ＬＥＤ４１ａ〜４７ａの発光パターンを記憶したメモリ６１が接続されている。ＣＰＵ６０は、メモリ６１内の発光パターンに基づいて、各ＬＥＤユニット４１〜４７の駆動を制御する。
【００３３】
図３に示すように、上用ＬＥＤユニット４１から照射された光は、上用集光レンズ３１で集光されて上表示画素２１に入光する。
【００３４】
図５Ａに示すように、上表示画素２１は、底面が長方形状で側面が台形状となる凸状の複数のドット２０からなり、上表示画素２１に入光した光は、上表示画素２１の複数のドット２０で前側に向けて反射される。これにより、上表示画素２１が光って表示された状態となる。ドット２０は、長方形状の長辺に垂直な方向（図５Ａにおける上下方向）から導入された光を多く反射する。一方、長方形状の短辺に垂直な方向（図５Ａにおける左右方向）から導入された光はわずかしか反射しない。これにより、図５Ａのドット２０は上下方向の光による発光が視認され、左右方向の光による発光は視認されない。
【００３５】
同様に、各ＬＥＤユニット４２〜４７から照射された光は、各集光レンズ３２〜３７で集光されて各表示画素２２〜２７の複数のドット２０に入光して反射され、各表示画素２２〜２７が光って表示された状態となる。
【００３６】
図５Ａに示すように、上表示画素２１のドット２０は、上方の上用ＬＥＤユニット４１からの光は反射するが、側方の右上用ＬＥＤユニット４２からの光はわずかしか反射しないような向きで形成されている。図５Ｂに示すように、右上表示画素２２のドット２０は、側方の右上用ＬＥＤユニット４２からの光は反射するが、上方の上用ＬＥＤユニット４１からの光はわずかしか反射しないような向きで形成されている。図５Ａ、図５Ｂの実施例は、ドット２０が導光板に対し凸となるよう構成されている。この構成は導光板成形用金型にドット２０に対応する凹部を設け、導光板を成形することで得られる。導光板成形用金型にドット２０に対応する凸部を設け、導光板に凹状のドット２０を構成することも可能であるが、金型加工の難易度が上がる。
【００３７】
下表示画素２４及び中表示画素２７のドット２０は、上表示画素２１のドット２０と同様に、上下方向からの光は反射するが、側方からの光はわずかしか反射しないような向きで形成されている。
【００３８】
右下表示画素２３、左上表示画素２５、及び左下表示画素２６のドット２０は、側方からの光は反射するが、上下方向からの光はわずかしか反射しないような向きで形成されている。
【００３９】
図６に示すように、ＣＰＵ６０が各ＬＥＤユニット４１〜４７の駆動を制御して、各表示画素２１〜２７の表示を制御すると、「０」〜「９」の１０個の数字表示が可能となる。本実施形態では、各表示画素２１〜２７のうち最も使用頻度の高い右下表示画素２３と、２番目に使用頻度の高い上表示画素２１及び右上表示画素２２とを、第１〜第３導光板１１〜１３のうち表示面側に配置される第１導光板１１に設けている。
【００４０】
例えば、「５」を表示する場合には、上用ＬＥＤユニット４１、及び右下用ＬＥＤユニット４３から光を照射させて、第１導光板１１の上表示画素２１、及び右下表示画素２３を表示させ、下用ＬＥＤユニット４４、及び左上用ＬＥＤユニット４５から光を照射させて、下表示画素２４、及び左上表示画素２５を表示させ、さらに、中用ＬＥＤユニット４７から光を照射させて、中表示画素２７を表示させる。これにより、上表示画素２１、右下表示画素２３、下表示画素２４、左上表示画素２５、及び中表示画素２７が表示され、第１〜第３導光板１１〜１３を積層した状態では、「５」が表示される。
【００４１】
このように、７個の各表示画素２１〜２７を、表示画素の数よりも少ない３枚の各導光板１１〜１３で表示可能となるので、７個の表示画素を、７枚の導光板で表示するようなものに比べて、導光板の数を削減することができる。これにより、表示装置の薄型化、コストダウンを図ることができる。
【００４２】
また、３枚の各導光板１１〜１３で表示可能であるので、最前方の第１導光板１１に表示される各表示画素２１〜２３の見え方と、最後方の第３導光板１３に表示される中表示画素２７の見え方との違いを小さくすることができる。
【００４３】
[第２実施形態]
図７〜図９に示す第２実施形態では、表示装置１００は１４セグメント表示をする。なお、上記実施形態と同様の構成部材には同一の符号を付し、その詳細な説明を省略する。
【００４４】
図８に示すように、表示装置１００は、第１導光板１０１、第２導光板１０２、第３導光板１０３、及び第４導光板１０４からなる導光部１０５を備える。各導光板１０１〜１０４は、導光部１０５の表示面側である前側から第１導光板１０１、第２導光板１０２、第３導光板１０３、第４導光板１０４の順に積層されている。
【００４５】
各導光板１０１〜１０４は、透明なアクリル樹脂による射出成形により形成されている。各導光板１０１〜１０４は、それぞれの間に隙間が空いた状態で、取付部材（図示せず）により装飾板（図示せず）に取り付けられている。
【００４６】
第１導光板１０１の裏面には、複数の微細な凸状のドット２０（図５参照）からなる上表示画素１１１、右上表示画素１１２、及び右下表示画素１１３が形成されている。第２導光板１０２の裏面には、複数のドット２０からなる下表示画素１１４、左上表示画素１１５、及び左下表示画素１１６が形成されている。
【００４７】
第３導光板１０３の裏面には、複数のドット２０からなる左中表示画素１１７、右中表示画像１１８、上中表示画像１１９、及び下中表示画素１２０が形成されている。第４導光板１０４は、左斜め上表示画素１２１、右斜め下表示画素１２２、右斜め上表示画素１２３、及び左斜め下表示画素１２４が形成されている。各表示画素１１１〜１２４は、微細なドット２０であり、視認は困難であるが、図７〜図９では、視認可能なように誇張して図示している。
【００４８】
各表示画素１１１〜１２４は、１４セグメント表示をするための各セグメントであり、各表示画素１１１〜１２４を組み合わせると、１４セグメントが構成される（図７参照）。
【００４９】
第１実施形態と同様に、第１導光板１０１には、上用集光レンズ１３１と、右上用集光レンズ１３２と、右下用集光レンズ１３３とが取り付けられている。また、第２導光板１０２には、下用集光レンズ１３４と、左上用集光レンズ１３５と、左下用集光レンズ１３６とが取り付けられている。
【００５０】
第３導光板１０３の上面には、上側からの光を左中表示画素１１７に集光するための左中用集光レンズ１３７と、上側からの光を右中表示画像１１８に集光するための右中用集光レンズ１３８とが取り付けられている。
【００５１】
第３導光板１０３の右側面には、右側からの光を上中表示画像１１９に集光するための上中用集光レンズ１３９と、右側からの光を下中表示画素１２０に集光するための下中用集光レンズ１４０とが取り付けられている。
【００５２】
第４導光板１０４の上面には、上側からの光を左斜め上表示画素１２１に集光するための左斜め上用集光レンズ１４１と、上側からの光を右斜め下表示画素１２２に集光するための右斜め下用集光レンズ１４２とが取り付けられている。
【００５３】
第４導光板１０４の右側面には、右側からの光を右斜め上表示画素１２３に集光するための右斜め上用集光レンズ１４３と、右側からの光を左斜め下表示画素１２４に集光するための左斜め下用集光レンズ１４４とが取り付けられている。各集光レンズ１３１〜１４４には、複数、例えば５個のマルチカラーＬＥＤから構成されるＬＥＤユニット（図示せず）が取り付けられている。なお、図７では、各集光レンズ１３１〜１４４の図示を省略している。
【００５４】
上表示画素１１１、下表示画素１１４、左中表示画素１１７、右中表示画像１１８、左斜め上表示画素１２１、及び右斜め下表示画素１２２の各ドット２０は、上下方向のＬＥＤユニットからの光は反射するが、側方のＬＥＤユニットからの光はわずかしか反射しないような向きで形成されている。
【００５５】
右上表示画素１１２、及び右下表示画素１１３、左上表示画素１１５、左下表示画素１１６、上中表示画像１１９、下中表示画素１２０、右斜め上表示画素１２３、及び左斜め下表示画素１２４の各ドット２０は、側方のＬＥＤユニットからの光は反射するが、上下方向のＬＥＤユニットからの光はわずかしか反射しないような向きで形成されている。
【００５６】
各ＬＥＤユニットの駆動を制御して、各表示画素１１１〜１２４の表示を制御すると、「０」〜「９」の１０個の数字表示、「Ａ」〜「Ｚ」の２６個のアルファベット表示、「＋」や「＊」等の記号表示が可能となる。
【００５７】
例えば、「Ｚ」を表示する場合には、図９に示すように、上表示画素１１１、下表示画素１１４、右斜め上表示画素１２３、及び左斜め下表示画素１２４の各々に対応したＬＥＤユニットから照射させ、各表示画素１１１，１１４，１２３，１２４を表示させる。これにより、第１〜第４導光板１０１〜１０４を積層した状態では、「Ｚ」が表示される。
【００５８】
[第３実施形態]
図１０及び図１１に示す第３実施形態では、表示装置１５０は漢字を表示する。なお、上記実施形態と同様の構成部材には同一の符号を付し、その詳細な説明を省略する。
【００５９】
図１０に示すように、表示装置１５０は、第１導光板１５１、及び第２導光板１５２からなる導光部１５３を備える。各導光板１５１，１５２は、導光部１５３の表示面側である前側から第１導光板１５１、第２導光板１５２の順に積層されている。
【００６０】
各導光板１５１，１５２は、透明なアクリル樹脂による射出成形により形成されている。各導光板１５１，１５２は、それぞれの間に隙間が空いた状態で、取付部材（図示せず）により装飾板（図示せず）に取り付けられている。
【００６１】
第１導光板１５１の裏面には、複数の微細な凸状のドット２０（図５参照）からなる門構え表示画素１６１、及び開用表示画素１６２が形成されている。第２導光板１５２の裏面には、閉用表示画素１６３が形成されている。
【００６２】
第１実施形態と同様に、第１導光板１５１には、門構え用集光レンズ１７１と、開用集光レンズ１７２とが取り付けられている。また、第２導光板１５２には、閉用集光レンズ１７３が取り付けられている。各集光レンズ１７１〜１７３には、複数、例えば５個のマルチカラーＬＥＤから構成されるＬＥＤユニット（図示せず）が取り付けられている。
【００６３】
門構え表示画素１６１のドット２０は、上下方向のＬＥＤユニットからの光は反射するが、側方のＬＥＤユニットからの光はわずかしか反射しないような向きで形成されている。
【００６４】
開用表示画素１６２、及び閉用表示画素１６３の各ドット２０は、側方のＬＥＤユニットからの光は反射するが、上下方向のＬＥＤユニットからの光はわずかしか反射しないような向きで形成されている。
【００６５】
図１１に示すように、各ＬＥＤユニットの駆動を制御して、各表示画素１６１〜１６３の表示を制御すると、「門」、「開」、「閉」の漢字表示が可能となる。
【００６６】
例えば、「閉」を表示する場合には、門構え表示画素１６１、及び閉用表示画素１６３の各々に対応したＬＥＤユニットから照射させ、各表示画素１６１，１６３を表示させる。これにより、第１，第２導光板１５１，１５２を積層した状態では、「閉」が表示される。
【００６７】
[第４実施形態]
図１２及び図１３に示す第４実施形態では、表示装置１８０はマークを表示する。なお、上記実施形態と同様の構成部材には同一の符号を付し、その詳細な説明を省略する。
【００６８】
図１２に示すように、表示装置１８０は、第１導光板１８１、及び第２導光板１８２からなる導光部１８３を備える。各導光板１８１，１８２は、導光部１８３の表示面側である前側から第１導光板１８１、第２導光板１８２の順に積層されている。
【００６９】
各導光板１８１，１８２は、透明なアクリル樹脂による射出成形により形成されている。各導光板１８１，１８２は、それぞれの間に隙間が空いた状態で、取付部材（図示せず）により装飾板（図示せず）に取り付けられている。
【００７０】
第１導光板１８１の裏面には、複数の微細な凸状のドット２０（図５参照）からなる丸マーク表示画素１９１、及び三角マーク表示画素１９２が形成されている。第２導光板１８２の裏面には、バツマーク表示画素１９３が形成されている。
【００７１】
第１実施形態と同様に、第１導光板１８１には、丸マーク用集光レンズ２０１と、三角マーク用集光レンズ２０２とが取り付けられている。また、第２導光板１８２には、バツマーク用集光レンズ２０３が取り付けられている。各集光レンズ２０１〜２０３には、複数、例えば５個のマルチカラーＬＥＤから構成されるＬＥＤユニット（図示せず）が取り付けられている。
【００７２】
丸マーク表示画素１９１、及びバツマーク表示画素１９３のドット２０は、上下方向のＬＥＤユニットからの光は反射するが、側方のＬＥＤユニットからの光はわずかしか反射しないような向きで形成されている。
【００７３】
三角マーク表示画素１９２のドット２０は、側方のＬＥＤユニットからの光は反射するが、上下方向のＬＥＤユニットからの光はわずかしか反射しないような向きで形成されている。
【００７４】
図１３に示すように、各ＬＥＤユニットの駆動を制御して、各表示画素１４１，１４２の表示を制御すると、「○」、「△」、「○＋△」、「×」、「○＋×」のマーク表示が可能となる。
【００７５】
なお、上記実施形態では、表示装置で、数字、アルファベット、漢字、マーク各々の画像を表示しているが、表示する画像は適宜変更可能であり、例えば、絵や記号等を表示するようにしてもよい。
【００７６】
また、上記実施形態では、各導光板の裏面に各表示画素を形成しているが、前面に各表示画素を形成してもよい。
【００７７】
上記実施形態では、各導光板を矩形状で構成しているが、矩形状に限定されず、三角形や円形等でもよい。
【００７８】
上記実施形態では、各表示画素に対応してＬＥＤユニットを設けているが、１つのＬＥＤユニットにより、複数の表示画素に個別に光を照射するようにしてもよい。この場合、ＬＥＤユニットから照射された光の向きを変えるミラー等を有する調整機構を設ける。
【００７９】
また、本発明の表示装置は、表示装置単体でも実施可能であるが、様々な電電子機器にも実施可能であり、例えば、パチンコ機やスロットマシン等に実施してもよい。
【符号の説明】
【００８０】
１０，１００，１５０，１８０…表示装置、 １１，１０１，１５１，１８１…第１導光板、 １２，１０２，１５２，１８２…第２導光板、 １３，１０３…第３導光板、 １４，１０５，１５３，１８３…導光部、 １５…装飾板、 ２０…ドット、 ２１，１１１…上表示画素、 ２２，１１２…右上表示画素、 ２３，１１３…右下表示画素、 ２４，１１４…下表示画素、 ２５，１１５…左上表示画素、 ２６，１１６…左下表示画素、 ２７…中表示画素、 ３１，１３１…上用集光レンズ、 ３２，１３２…右上用集光レンズ、 ３３，１３３…右下用集光レンズ、 ３４，１３４…下用集光レンズ、 ３５，１３５…左上用集光レンズ、 ３６，１３６…左下用集光レンズ、 ３７…中用集光レンズ、 ４１…上用ＬＥＤユニット、 ４２…右上用ＬＥＤユニット、 ４３…右下用ＬＥＤユニット、 ４４…下用ＬＥＤユニット４４、 ４５…左上用ＬＥＤユニット、 ４６…左下用ＬＥＤユニット、 ４７…中用ＬＥＤユニット、 ４１ａ〜４７ａ…マルチカラーＬＥＤ、 １０４…第４導光板、 １１７…左中表示画素、 １１８…右中表示画像、 １１９…上中表示画像、 １２０…下中表示画素、 １２１…左斜め上表示画素、 １２２…右斜め下表示画素、 １２３…右斜め上表示画素、 １２４…左斜め下表示画素、 １３７…左中用集光レンズ、 １３８…右中用集光レンズ、 １３９…上中用集光レンズ、 １４０…下中用集光レンズ、 １４１…左斜め上用集光レンズ、 １４２…右斜め下用集光レンズ、 １４３…右斜め上用集光レンズ、 １４４…左斜め下用集光レンズ、 １６１…門構え表示画素、 １６２…開用表示画素、 １６３…閉用表示画素、 １７１…門構え用集光レンズ、 １７２…開用集光レンズ、 １７３…閉用集光レンズ、１９１…丸マーク表示画素、 １９２…三角マーク表示画素、 １９３…バツマーク表示画素、 ２０１…丸マーク用集光レンズ、 ２０２…三角マーク用集光レンズ、 ２０３…バツマーク用集光レンズ
【図１】
2017009753.tif 000003
【図２】
2017009753.tif 000004
【図３】
2017009753.tif 000005
【図４】
2017009753.tif 000006
【図５】
2017009753.tif 000007
【図６】
2017009753.tif 000008
【図７】
2017009753.tif 000009
【図８】
2017009753.tif 000010
【図９】
2017009753.tif 000011
【図１０】
2017009753.tif 000012
【図１１】
2017009753.tif 000013
【図１２】
2017009753.tif 000014
【図１３】
2017009753.tif 000015